(57)【要約】【課題】既存のネクタイをワイシャツの襟に直接縛ること無くワンタッチで装着可能であり、しかもボタンダウンシャツのボタンを付けたまま装着可能であるので、迅速に着脱できるという従来技術では解決不可能な課題を解消し、省エネルギーであるクールビズ対策に寄与する。【解決手段】ネクタイを固定する器具とワイシャツのボタンに固定する器具及び襟元が緩まないためのゴム連結具の３器具から構成され、ネクタイを傷めないため、ネクタイとの接触部を革製表面としてステッチ加工とし、ワイシャツサイズに合わせて調節可能な変形金属芯を内装し、ネクタイを固定する器具とそれをボタンに固定する器具を連結する部分が伸縮可能なゴム製品であるネクタイ固定具。【選択図】図１
0003121634.tif 000002
【実用新案登録請求の範囲】
【請求項１】
ネクタイをワイシャツの襟に直接縛ること無くワイシャツの第一ボタンにワンタッチで装着可能なネクタイ用具。
【請求項２】
ネクタイを固定する器具、ワイシャツの第一ボタンに固定する器具、及び襟元が緩まないためのゴム連結具から構成される、ネクタイをワイシャツの襟に直接縛ること無くワイシャツの第一ボタンにワンタッチで装着可能なネクタイ用具。
【請求項３】
ネクタイを固定する器具、ワイシャツのボタンに固定する器具、及び襟元が緩まないためのゴム連結具から構成される、ネクタイをワイシャツの襟に直接縛ること無くワイシャツの第一ボタンにワンタッチで装着可能なネクタイ用具であって、
前記ネクタイを固定する器具が、Ｙ字形状をしており、そのＹ字形の下端に、前記襟元が緩まないためのゴム連結具を介して、前記ワイシャツのボタンに固定する器具に結合されている、前記用具。
【請求項４】
ネクタイを固定する器具、ワイシャツのボタンに固定する器具、及び襟元が緩まないためのゴム連結具から構成される、ネクタイをワイシャツの襟に直接縛ること無くワイシャツの第一ボタンにワンタッチで装着可能なネクタイ用具であって、
前記ネクタイを固定する器具が、Ｙ字形状をしており、そのＹ字形の下端に、前記襟元が緩まないためのゴム連結具を介して、前記ワイシャツのボタンに固定する器具に結合され、且つネクタイを傷めないため、ネクタイとの接触部を革製表面としてステッチ加工するとともに、ワイシャツサイズに合わせて襟元を調整するためのカーブ形状を調節可能なふくらみをもった変形金属芯を内装している、前記用具
【請求項５】
ネクタイを固定する器具、ワイシャツのボタンに固定する器具、及び襟元が緩まないためのゴム連結具から構成される、ネクタイをワイシャツの襟に直接縛ること無くワイシャツの第一ボタンにワンタッチで装着可能なネクタイ用具であって、
前記ネクタイを固定する器具が、Ｙ字形状をしており、そのＹ字形の下端に、前記襟元が緩まないためのゴム連結具を介して、前記ワイシャツのボタンに固定する器具に結合され、ネクタイを傷めないため、ネクタイとの接触部を革製表面としてステッチ加工するとともに、ワイシャツサイズに合わせて襟元を調整するためのカーブ形状を調節可能なふくらみをもった変形金属芯を内装し、且つ
ネクタイを固定する器具とワイシャツのボタンに固定する器具を連結する部分を伸縮可能なゴム製品とし、ワイシャツの襟とネクタイが密着できる構造とした、前記用具。
【考案の詳細な説明】
【技術分野】
【０００１】
省エネルギーを目的とした国のクールビズ（クールビジネス）対策の一環としてノーネクタイ運動が推進された。しかし、社会ではネクタイが正装として定着しているため、本考案は、場所に応じてネクタイの装着・脱着を迅速に可能とする用具に関する考案についてのものである。
【背景技術】
【０００２】
省エネを目的とした国のクールビズ対策の一環としてノーネクタイ運動が推進されたにも係わらず、男性社会ではネクタイが正装として定着しているため、場所に応じてネクタイの装脱着を迅速に可能な用具の開発が盛んに進められた。従来技術では、ネクタイに直接ゴムや紐を接続し、ワイシャツの襟に巻付ける方法や襟部分にフックで装着する方法などが開発された。この方法では、専用のネクタイに限定され、国際的に普及している既存のネクタイが使えないため、ネクタイ業界の死活問題にまで発展し、社会経済に悪影響を及ぼす結果となった。また、クールビズ対策でボタンダウンシャツが普及するに至ったが、ボタンを付けたままノーネクタイから迅速にネクタイを装着することは不可能であるなどの沢山の欠点があり、問題解決に至っていない現状である。
【考案の開示】
【考案が解決しようとする課題】
【０００３】
上記の従来技術に鑑み、本考案は、ネクタイをワイシャツの襟に直接縛ること無くワンタッチで装着可能であり、ボタンダウンシャツのボタンを付けたまま装着可能であることや国際的に普及している既存のネクタイが利用可能であることなど、従来技術では解決不可能な課題を解消し、省エネルギーであるクールビズ対策に寄与することを目的とする。
【課題を解決するための手段】
【０００４】
本考案者は上記課題を解決すべく鋭意研究を行った結果、既存のネクタイが利用可能なこと、高価な布製のネクタイを傷つけないこと、ワイシャツのサイズに合わせて調節可能なこと、ボタンダウンシャツのボタンを付けたまま着脱可能なこと、襟首の緩みが出ないこと、迅速に着脱可能なことなどの既存技術の問題点を解決し、本発明の完成に至った。
【０００５】
すなわち、本考案はネクタイとの接触面を皮製にして使用中に傷が付かなくするとともに金属補強材を内装して形を整えられるため、既存のワイシャツやネクタイに対する適応性が高く、幅広く活用できることを特長とした。
【考案を実施するための最良の形態】
【０００６】
本考案によれば、図１又は図４に示すステッチ加工皮製品にＹ字型金属補強材を差込んだ後、ゴムを縫い込むと同時にボタンフックを連結する。図１又は図４のサイズ(±５ｍｍ以内)で加工することで、ゴムの伸縮により、既存の全てのワイシャツに共通して利用することが可能である。図１又は図４の曲げ角度はネクタイをワイシャツに装着した時点で自由に調整することが可能である。本考案では革製品が望ましいが、安価に製造するためには、図１又は図４の概念寸法で金属加工し、ウレタン塗装するなどの簡便法に於いても代替え可能である。図１又は図４のボタン固定部は形状を限定するものでは無く、ワイシャツの第一ボタンに固定できる目的であれば自由に選択できるものであり、材質も皮革や金属材料に限定するものではない。
【０００７】
なお、図２は、図１のネクタイ用具（ネクタイストッパー）の実物の正面図であり、図３は、図１のネクタイ用具（ネクタイストッパー）の実物の側面図である。又、図５は、図４のネクタイ用具（ネクタイストッパー）の実物の正面図であり、図６は、図４のネクタイ用具（ネクタイストッパー）の実物の側面図である。
【０００８】
本考案による特長は、（１）既存のネクタイがワンタッチネクタイとして活用できること、（２）ボタン１個で固定するため首を締め付けることなくワンタッチネクタイになること、（３）多忙な出勤時に10秒以内で簡単に装着可能であること、（４）一度結んでサイズ合わせをすれば毎回結ぶこと無く、高価なネクタイが擦り切れるることなく長持ちすること、（５）ゴムで襟に密着するため襟元が緩まないピッタリフィットが可能であることなどが挙げられる。
【０００９】
ネクタイ用具の使用方法は
１．ネクタイの幅が狭い方を約15ｃｍ程度短めにして二つ折りにする。
２．ネクタイ用具の正面（膨らみ側）を手前にして片手で持つ。
３．ネクタイの二つ折り目を手前にして用具Ｙ字中央に掛ける。
４．二つ折りネクタイの折り目側から1/3の長さの位置を用具Ｙ字中央にセットして片手で押える。
５．片方の手で長手側を持って、Ｙ字の足を一巻きし、Ｙ字の中央向こう側から手前に
引き出し、巻の中を通してネクタイ縛りをつくる。
６．弛みの無いように長手を引いてネクタイ縛りを完成する。図７に、ネクタイ用具にネクタイ縛りを完了した状態が示されている。
７．裏返して、金具の輪をワイシャツの第一ボタンに掛ける。図８に、ネクタイ縛りが完了し、ネクタイ用具の金具の輪をワイシャツの第一ボタンに掛けた状態が示されている。
８．Ｙ字の両端をワイシャツの襟首に片方づつ差し込む。
９．ネクタイの位置を調整してセットを完成する。図９に、ネクタイ用具にセットされたネクタイがワイシャツの襟に付けられた状態が示されている。
【００１０】
本考案のネクタイ用具の使用に際しては、図１０又は図１１に示されるように、ネクタイ用具に縛った状態のネクタイを複数本用意して、ハンガー等に掛けておき、日ごとに変えて使用することができる。
以下、本考案を実施例に従って更に詳細に説明する。
【実施例】
【００１１】
（実施例１）
図１又は図４のネクタイ用具に既存のネクタイを巻付けて通常のワイシャツに装着した。装着所要時間は５秒であり、迅速に装着は可能であった。猛暑の８月に１ヶ月間毎日装着した結果、従来型の襟首を巻きつけるネクタイと異なり、ワイシャツの襟と首肌が密着しないため、襟首の汗によるべとつきが改善された。出張先の玄関で装着したが、鏡の無い場所でも迅速で正確に装着可能であり、クールビズの目的を達成することができた。
【００１２】
なお、図２は、図１のネクタイ用具の実物の正面図あり、図３は、図１のネクタイ用具の実物の側面図である。又、図５は、図４のネクタイ用具の実物の正面図であり、図６は、図４のネクタイ用具の実物の側面図である。
【００１３】
［考案の効果］
以上のように、本考案のネクタイ用具は省エネルギーの目的で国が推進したクールビズの目的を達成することが可能となったとともに、従来技術の問題点を全て解決することができた。
【図面の簡単な説明】
【００１４】
【図１】本考案のネクタイ用具の構造及びサイズを示す図である。
【図２】図１のネクタイ用具（ネクタイストッパー）の実物の正面図である。
【図３】図１のネクタイ用具（ネクタイストッパー）の実物の側面図である。
【図４】本考案の他のネクタイ用具の構造及びサイズを示す図である。
【図５】図４のネクタイ用具（ネクタイストッパー）の実物の正面図である。
【図６】図４のネクタイ用具（ネクタイストッパー）の実物の側面図である。
【図７】本考案のネクタイ用具にネクタイ縛りを完了した状態が示されている図である。
【図８】ネクタイ縛りが完了し、ネクタイ用具の金具の輪をワイシャツの第一ボタンに掛けた状態が示されている図である。
【図９】ネクタイ縛りが完了し、ワイシャツの襟にセットされた状態が示されている図である。
【図１０】ネクタイ用具に縛った状態のネクタイが複数本ハンガーに掛けられた状態を示す図である。
【図１１】ネクタイ用具に縛った状態のネクタイが複数本ハンガーに掛けられた状態を示す遠景図である。
【図１】
0003121634.tif 000003
【図４】
0003121634.tif 000004
【図２】
0003121634.tif 000005
【図３】
0003121634.tif 000006
【図５】
0003121634.tif 000007
【図６】
0003121634.tif 000008
【図７】
0003121634.tif 000009
【図８】
0003121634.tif 000010
【図９】
0003121634.tif 000011
【図１０】
0003121634.tif 000012
【図１１】
0003121634.tif 000013
【手続補正書】
【提出日】平成18年3月8日(2006.3.8)
【手続補正１】
【補正対象書類名】実用新案登録請求の範囲
【補正対象項目名】全文
【補正方法】変更
【補正の内容】
【実用新案登録請求の範囲】
【請求項１】
ネクタイを固定する器具、ワイシャツのボタンに固定する器具、及び襟元が緩まないためのゴム連結具から構成される、ネクタイをワイシャツの襟に直接縛ること無く、前記ネクタイを固定する器具にネクタイ縛りを完了した状態で、ワイシャツの第一ボタンに、前記ワイシャツのボタンに固定する器具の輪を掛け、ネクタイを固定する器具の両端をワイシャツの襟首に差し込むことにより、ワイシャツの第一ボタンにワンタッチで装着可能なネクタイ用具であって、
前記ネクタイを固定する器具がＹ字形状をしており、そのＹ字形の下端に、前記襟元が緩まないためのゴム連結具を介して、前記ワイシャツのボタンに固定する器具が結合されている、前記用具。
【請求項２】
ネクタイを固定する器具、ワイシャツのボタンに固定する器具、及び襟元が緩まないためのゴム連結具から構成される、ネクタイをワイシャツの襟に直接縛ること無く、前記ネクタイを固定する器具にネクタイ縛りを完了した状態で、ワイシャツの第一ボタンに、前記ワイシャツのボタンに固定する器具の輪を掛け、ネクタイを固定する器具の両端をワイシャツの襟首に差し込むことにより、ワイシャツの第一ボタンにワンタッチで装着可能なネクタイ用具であって、
前記ネクタイを固定する器具が、Ｙ字形状をしており、そのＹ字形の下端に、前記襟元が緩まないためのゴム連結具を介して、前記ワイシャツのボタンに固定する器具が結合され、且つネクタイを傷めないため、ネクタイとの接触部を革製表面としてステッチ加工するとともに、ワイシャツサイズに合わせて襟元を調整するためのカーブ形状を調節可能なふくらみをもった変形金属芯を内装している、前記用具
【請求項３】
ネクタイを固定する器具、ワイシャツのボタンに固定する器具、及び襟元が緩まないためのゴム連結具から構成される、ネクタイをワイシャツの襟に直接縛ること無く、前記ネクタイを固定する器具にネクタイ縛りを完了した状態で、ワイシャツの第一ボタンに、前記ワイシャツのボタンに固定する器具の輪を掛け、ネクタイを固定する器具の両端をワイシャツの襟首に差し込むことにより、ワンタッチで装着可能なネクタイ用具であって、
前記ネクタイを固定する器具がＹ字形状をしており、そのＹ字形の下端に、前記襟元が緩まないためのゴム連結具を介して、前記ワイシャツのボタンに固定する器具が結合され、ネクタイを傷めないため、ネクタイとの接触部を革製表面としてステッチ加工するとともに、ワイシャツサイズに合わせて襟元を調整するためのカーブ形状を調節可能なふくらみをもった変形金属芯を内装し、且つ
ネクタイを固定する器具とワイシャツのボタンに固定する器具を連結する部分を伸縮可能なゴム製品とし、ワイシャツの襟とネクタイが密着できる構造とした、前記用具。